(57)【要約】ユーザー機器への確立されたコールのために、第一の無線ネットワーク制御装置から第二の無線ネットワーク制御装置へのサービス中の無線ネットワークサブシステムのための方法であって、前記ユーザー機器と前記第一の無線ネットワーク制御装置の間に確立された無線リンクの送信電力制御装置の組み合わせ指数を前記第二の無線ネットワーク制御装置へ送信することを含む方法を開示する。【選択図】図２
2007514385.tif 000002
【特許請求の範囲】
【請求項１】
ユーザー機器への確立されたコールに対して、サービス中の無線ネットワークサブシステムを第一の無線ネットワーク制御装置から第二の無線ネットワーク制御装置へ再配置するための方法であって、前記ユーザー機器と前記第一の無線ネットワーク制御装置との間に確立された無線リンクの送信電力制御の組み合わせ指数を前記第二の無線ネットワーク制御装置に伝送することを含む方法。
【請求項２】
前記送信電力制御の組み合わせ指数はサービス中の無線ネットワークサブシステム再配置コンテナで伝送される、請求項１に記載の方法。
【請求項３】
前記送信電力制御の組み合わせ指数はＩＵインターフェイス上で伝送される、請求項１または請求項２に記載の方法。
【請求項４】
送信電力制御の組み合わせ指数を伝送する前記ステップは、さらにプライマリ共通パイロットチャネル情報を伝送することを含む、請求項１から３いずれかに記載の方法。
【請求項５】
前記第二の無線ネットワーク制御装置から前記ユーザー機器に確立された無線リンクのために、送信電力制御の組み合わせ指数を割り当てるステップをさらに含む、請求項１から４のいずれかに記載の方法。
【請求項６】
無線ネットワーク制御装置からユーザー機器への各無線リンクが基地局を介して確立されている、請求項６に記載の方法。
【請求項７】
前記第二の無線ネットワーク制御装置から前記ユーザー機器へ確立されたリンクの基地局が、前記第一の無線ネットワーク制御装置と前記ユーザー機器の間のリンクに確立された基地局と同一である場合、前記第一の無線ネットワーク制御装置から受信した送信電力制御の組み合わせ指数が前記第二の無線ネットワーク制御装置により使用される、請求項６に記載の方法。
【請求項８】
前記第二の無線ネットワーク制御装置から前記ユーザー機器に確立されたリンクの基地局が、前記第一の無線ネットワーク制御装置と前記ユーザー機器の間のリンクに確立された基地局と異なる場合、前記第二の無線ネットワーク制御装置により使用される前記送信電力制御の組み合わせ指数は前記第一の無線ネットワーク制御装置から受信した指数とは異なる、請求項６または請求項７に記載の方法。
【請求項９】
無線ネットワークサブシステムの再配置において、無線リンクがそこから転送されているさらなる無線ネットワーク制御装置から、ユーザー機器と前記さらなる無線ネットワーク制御装置との間に確立された無線リンクの送信電力制御の組み合わせ指数を受信するように構成される、無線ネットワーク制御装置。
【請求項１０】
前記送信電力制御の組み合わせ指数との組み合わせにおいて、伝送プライマリ共通パイロットチャネル情報を受信するようにさらに構成される、請求項９に記載の無線ネットワーク制御装置。
【請求項１１】
前記無線ネットワーク制御装置から前記ユーザー機器に確立された無線リンクのために送信電力制御の組み合わせ指数を割り当てるようにさらに構成される、請求項９または１０のいずれかに記載の無線ネットワーク制御装置。
【請求項１２】
無線ネットワーク制御装置からユーザー機器への各無線リンクが基地局を介して確立される、請求項１１に記載の無線ネットワーク制御装置。
【請求項１３】
前記無線ネットワーク制御装置から前記ユーザー機器に確立されたリンクの基地局が、前記さらなる無線ネットワーク制御装置と前記ユーザー機器との間のリンクに確立された基地局と同一である場合、前記さらなる無線ネットワーク制御装置から受信した前記送信電力制御の組み合わせ指数が前記無線ネットワーク制御装置により使用される、請求項１２に記載の無線ネットワーク制御装置。
【請求項１４】
前記無線ネットワーク制御装置から前記ユーザー機器に確立されたリンクの基地局が、前記さらなる無線ネットワーク制御装置と前記ユーザー機器との間のリンクに確立された基地局と異なる場合、前記無線ネットワーク制御装置により使用される前記送信電力制御の組み合わせ指数は、前記さらなる無線ネットワーク制御装置から受信した指数とは異なる、請求項６、１２、１３のいずれかに記載の無線ネットワーク制御装置。
【請求項１５】
無線ネットワーク制御装置であって、
サービス中の無線ネットワークサブシステムを再配置する上で、無線リンクが転送されるさらなる無線ネットワーク制御装置に、ユーザー機器と前記無線ネットワーク制御装置の間に確立された無線リンクの送信電力制御の組み合わせ指数を伝送するように構成された無線ネットワーク制御装置。
【請求項１６】
前記送信電力制御の組み合わせ指数との組み合わせでプライマリ共通パイロットチャネル情報を伝送するようにさらに構成された、請求項１５に記載の無線ネットワーク制御装置。
【請求項１７】
ユーザー機器への確立したコールのために、第一の無線ネットワーク制御装置から第二の無線ネットワーク制御装置へのサービス中無線ネットワークのサブシステム再配置を行うように構成された通信システムにおいて、
前記ユーザー機器と前記第一の無線ネットワーク制御装置との間に確立された無線リンクの送信電力制御の組み合わせ指数を前記第二の無線ネットワーク制御装置に伝送するための手段を前記第一の無線ネットワーク制御装置に有し、
前記送信電力制御の組み合わせ指数を受信するための手段を前記第二の無線ネットワーク制御装置に有し、
前記受信した送信電力制御の組み合わせ指数に応じて、前記ユーザー機器への無線リンクのための送信電力制御の組み合わせ指数を決定するための手段を、前記第二の無線ネットワーク制御装置に有する、通信システム。
【請求項１８】
前記第二の無線ネットワーク制御装置は、さらに、前記無線リンクが、前記第一の無線ネットワーク制御装置と前記ユーザー機器との間の無線リンクと同じ基地局により確立されているかどうかに応じて、前記送信電力制御の組み合わせ指数を決定するように構成される、請求項１７に記載の通信システム。
【発明の詳細な説明】
【技術分野】
【０００１】
本発明は移動体通信システムにおけるサービス中の無線ネットワークサブシステムの再配置に関係する。
【背景技術】
【０００２】
移動体通信の分野において、ネットワークでユーザー機器が移動するに従い、確立したコールのネットワークアクセスポイントの再配置をユーザー機器に提供することはよく知られている。
【０００３】
ＴＰＣ（Transmission Power Control，送信電力制御）ＣＩ（Combination
Index，組み合わせ指数）は、０から５の範囲の整数値である。無線リンクが確立されるたび、ＴＰＣ  ＣＩがリンクに割り当てられる。無線リンクは、基地局を介した無線ネットワーク制御装置（ＲＮＣ）からユーザー機器（ＵＥ）への接続である。指定の基地局（ノードＢ）を介して確立されたすべての無線リンクは、同じＴＰＣ  ＣＩを持たなければならない。これまで無線リンクを持たないノードＢを使用して新しい無線リンクが確立されると、新しい未使用のＴＰＣ  ＣＩをそのノードＢに割り当てなければならない。
【０００４】
ＵＥはＴＰＣ  ＣＩを使用して異なる無線リンクの電力を制御する。同じノードＢからの無線リンクは電源制御の点からは一つのグループとして処置される。
【０００５】
指定のノードＢを介して確立されたすべての無線リンクが同じＴＰＣ  ＣＩを持つ一方で、ノードＢにより確立されたさまざまな無線リンクは、プライマリ共通パイロットチャネル（ＣＰＩＣＨ）情報により固有に識別される。
【０００６】
ＴＰＣ  ＣＩは無線ネットワーク制御装置（ＲＮＣ）とユーザー機器（ＵＥ）の間に確立されるので、基地局には把握できない。ＴＰＣ  ＣＩは、常に、無線リンクを確立するＲＮＣにより割り当てられる。
【０００７】
ＲＮＣの再配置が生ずると、無線リンクが新しいＲＮＣに転送されるにもかかわらず、新しいＲＮＣは、最初のＲＮＣにより確立された無線リンクのＴＰＣ  ＣＩを把握できない。
【０００８】
ＴＰＣ  ＣＩの値の範囲は、０から５の整数値であり、非常に限定されている。従って、再配置後に新しいＲＮＣが新しい基地局／ユーザー機器への新しい無線リンクの確立を開始すると、既に使用されているＴＰＣ  ＣＩを誤って割り当てる場合がある。これにより、ＵＥが誤った電源制御情報を持つという状況が生まれる。新しいＲＮＣが別のＲＮＣにより既に使用されているＴＰＣ  ＣＩを割り当てると、ＵＥは、新しい無線リンクは前の無線リンクと同じ基地局の制御下にあると想定する。
【０００９】
サービス中の無線ネットワークのサブシステムを再配置するために、改善された技術を提供することが、本発明の目的である。
【発明の開示】
【００１０】
本発明の一側面により、本発明は、ユーザー機器への確立したコールに対して、サービス中の無線ネットワークのサブシステムを第一の無線ネットワーク制御装置から第二の無線ネットワーク制御装置に再配置するための方法であって、前記ユーザー機器と前記第一の無線ネットワーク制御装置との間に確立された無線リンクの送信電力制御の組み合わせ指数を前記第二の無線ネットワーク制御装置に伝送することを含む方法を提供する。
【００１１】
前記送信電力制御の組み合わせ指数は、サービス中の無線ネットワークのサブシステム再配置コンテナで伝送することができる。前記送信電力制御の組み合わせ指数はＩＵインターフェイス上で伝送することができる。
【００１２】
送信電力制御の組み合わせ指数を伝送する前記ステップは、さらに、プライマリ共通パイロットチャネル情報の伝送を含むことができる。
【００１３】
前記方法は、さらに、前記第二の無線ネットワーク制御装置から前記ユーザー機器に確立された無線リンクのための送信電力制御の組み合わせ指数を割り当てるステップを含むことができる。
【００１４】
無線ネットワーク制御装置からユーザー機器への各無線リンクは、基地局を介して確立され得る。前記第二の無線ネットワーク制御装置から前記ユーザー機器に確立されたリンクの基地局が、前記第一の無線ネットワーク制御装置と前記ユーザー機器との間のリンクで確立された基地局と同一である場合、前記第一の無線ネットワーク制御装置から受信した送信電力制御の組み合わせ指数は、第二の無線ネットワーク制御装置により使用されることが好ましい。前記第二の無線ネットワーク制御装置から前記ユーザー機器に確立されたリンクの基地局が、前記第一の無線ネットワーク制御装置と前記ユーザー機器との間のリンクで確立された基地局と異なる場合、前記第二の無線ネットワーク制御装置により使用される前記送信電力制御の組み合わせ指数は、前記第一の無線ネットワーク制御装置から受信された指数と異なることが好ましい。
【００１５】
第二の側面では、本発明は、無線ネットワークサブシステムの再配置を行う上で、無線リンクがそこから転送されているさらなる無線ネットワーク制御装置から、ユーザー機器と前記さらなる無線ネットワーク制御装置との間に確立された無線リンクにおける送信電力制御の組み合わせ指数を受信するように構成された無線ネットワーク制御装置を提供する。
【００１６】
前記無線ネットワーク制御装置は、さらに、前記送信電力制御の組み合わせ指数との組み合わせで伝送プライマリ共通パイロットチャネル情報を受信するように構成され得る。
【００１７】
前記無線ネットワーク制御装置は、さらに、前記無線ネットワーク制御装置から前記ユーザー機器に確立された無線リンクの送信電力制御の組み合わせ指数を割り当てるように構成され得る。
【００１８】
無線ネットワーク制御装置からユーザー機器への各無線リンクは基地局を介して確立され得る。
【００１９】
前記無線ネットワーク制御装置から前記ユーザー機器に確立されたリンクの基地局が、前記さらなる無線ネットワーク制御装置と前記ユーザー機器との間のリンクに確立された基地局と同一である場合、前記さらなる無線ネットワーク制御装置から受信した前記送信電力制御の組み合わせ指数は、前記無線ネットワーク制御装置により使用されることが好ましい。前記無線ネットワーク制御装置から前記ユーザー機器に確立されたリンクの基地局が、前記さらなる無線ネットワーク制御装置と前記ユーザー機器との間に確立されたリンクの基地局と異なる場合、前記無線ネットワーク制御装置により使用される前記送信電力制御の組み合わせ指数は、前記さらなる無線ネットワーク制御装置から受信される指数とは異なることが好ましい。
【００２０】
第三の側面では、本発明は、無線ネットワーク制御装置であって、無線ネットワークのサブシステムの再配置を行う上で、無線リンクが転送される更なる無線ネットワーク制御装置に、ユーザー機器と前記無線ネットワーク制御装置との間に確立された無線リンクの送信電力制御の組み合わせ指数を伝送するように構成された無線ネットワーク制御装置を提供する。
【００２１】
前記無線ネットワーク制御装置は、さらに、前記送信電力制御の組み合わせ指数と組み合わせて、プライマリ共通パイロットチャネル情報を伝送するように構成することができる。
【００２２】
第四の側面では、本発明は、ユーザー機器への確立されたコールのために第一の無線ネットワーク制御装置から第二の無線ネットワーク制御装置に無線ネットワークサブシステムの再配置を行うために構成された通信システムであり、前記第一の無線ネットワーク制御装置において、前記ユーザー機器と前記第一の無線ネットワーク制御装置の間に確立された無線リンクの送信電力制御の組み合わせ指数を前記第二の無線ネットワーク制御装置に伝送するための手段と、前記第二の無線ネットワーク制御装置において、前記送信電力制御の組み合わせ指数を受信するための手段と、前記第二の無線ネットワーク制御装置において、前記受信した送信電力制御の組み合わせ指数に応じて前記ユーザー機器への無線リンクのための送信電力制御の組み合わせ指数を決定するための手段と、を含むシステムを提供する。
【００２３】
前記第二の無線ネットワーク制御装置は、さらに、前記無線リンクが前記第一の無線ネットワーク制御装置と前記ユーザー機器との間の無線リンクと同一の基地局により確立されているかどうかに応じて、前記送信電力制御の組み合わせ指数を決定するように構成することができる。
【好適な実施形態の説明】
【００２４】
添付の図面を参照しながら本発明を例を用いて説明する。
【００２５】
図１を参照すると、本発明を実装するための例を説明するための、ＵＭＴＳネットワークアーキテクチャの要素の一例が示されている。
【００２６】
発信元無線ネットワーク制御装置（Source Radio Network Controller，ＳＲＮＣ）１０は、Ｉｕｂインターフェイスであることが好ましいインターフェイス２２を介して、「ノードＢ」１４という少なくとも一つの基地局に接続されている。転送先無線ネットワーク制御装置（Target
Radio Network Controller，ＴＲＮＣ）１２は、ここでもＩｕｂインターフェイスであることが好ましいインターフェイス２４を介して、少なくとも一つのノードＢ２６に接続されている。ＳＲＮＣ１０とＴＲＮＣ１２は、Ｉｕｒインターフェイスであることが好ましい、相互ＲＮＣインターフェイス２０を介して相互接続されている。ユーザー機器（ＵＥ）１８は、関連付けられたノードＢを介して任意の無線ネットワーク制御装置との無線通信を確立することができる。図２の例では、ＵＥ１８は、無線リンク２６を介してノードＢ（１４）に接続を確立することができ、および／または無線リンク２８を介してノードＢ（１６）に接続を確立するともできる。ＵＥ１８は、例示に過ぎず、実際には複数のＵＥが無線リンクを確立することができる。
【００２７】
実装例を説明するために、ＲＮＣ１０は、最初に、ノードＢ１４を介してＵＥ１８と確立された無線リンクを有する。従って、ＲＮＣ１０は発信元ＲＮＣとして識別される。ＲＮＣ１２は、ＵＥ１８のローミングのためにコールの制御が転送されるＲＮＣである。従って、ＲＮＣ１２は転送先ＲＮＣとして識別される。発信元と転送先のＲＮＣを識別することにより、本発明の操作の以下の説明を簡単に理解することができる。しかし、コールの制御が最初のＲＮＣから新しいＲＮＣに転送されると、新しいＲＮＣが発信元ＲＮＣになることは明らかである。従って、本発明は概してＲＮＣ間の転送に関係し、「発信元」と「転送先」の用語が多少なりとも限定していると考えられるべきではない。
【００２８】
ノードＢ１４を介したＳＲＮＣ１０とＵＥ１８の間の最初の無線リンクの確立は説明しない。このような無線リンクの確立技術は当業者にはよく知られており、本発明はこのような技術へのいかなる変更も目的とはしない。本発明は、最初の無線リンクの確立のためのさまざまな技術のいずれにも無関係である。
【００２９】
ノードＢ１４を介したＳＲＮＣ１０とＵＥ１８との間の無線リンクの確立に続いて、例えば、１のＴＰＣ  ＣＩが確立された無線リンクのために決定される。これは、「ＴＰＣ  ＣＩ  １」と示す。確立された無線リンクは、プライマリＣＰＩＣＨ情報により固有に識別される。これは確立された無線リンクに対して「ＣＰＩＣＨ情報１」と示す。
【００３０】
サービス中の無線ネットワークサブシステム（Serving Radio
Network Subsystem，ＳＲＮＳ）の再配置は、ＵＥ１８のローミングにより発生する場合がある。ＳＲＮＳ再配置では、ノードＢ１４を介してＳＲＮＣ１０とＵＥ１８の間に確立されたＲＲＣ接続が、ノードＢ１６を介してＴＲＮＣ１２に完全に転送される。このような場合、ＵＥ１８はノードＢ１６によりサポートされる地理的領域内へ移動したと想定される。このような再配置が制御される技術は当業者には既知であり、本発明の範囲外である。本発明はこのような技術へのいかなる変更あるいは適応も提案しない。
【００３１】
当業者には既知のように、ＳＲＮＳの再配置中、ＳＲＮＳ再配置コンテナはＩＵインターフェイスを介してＳＲＮＣからＴＲＮＣへ伝送される。本発明により、ＳＲＮＳ再配置コンテナは、ＳＲＮＣからの無線リンクで使用されるＴＰＣ  ＣＩのＩＤを含むように変更される。この情報は、プライマリＣＰＩＣＨ情報／ＴＰＣ  ＣＩペアのリストとして提供される。この情報は、発信元ＲＮＣ１０から転送先ＲＮＣ１２へのＩＵインターフェイス上で提供されることが好ましい。
【００３２】
このように、ＴＲＮＣは、ＳＲＮＣからのＴＰＣ  ＣＩ  １の値とともに準備される。ＵＥ自体は既にＴＰＣ  ＣＩ  １の値を認識している。その後、ＴＲＮＣは新しい無線リンクを確立することができ、ＴＰＣ  ＣＩ  １のＴＰＣ  ＣＩ値を基本にしてリンクを確立しないことが保証される。
【００３３】
ＳＲＮＣ再配置が発生するときには、無線リンクがＴＲＮＣに必ず存在する必要がある。ＳＲＮＳの再配置時、ＴＲＮＣは少なくとも一つの確立された無線リンクを有しているので、ＵＥ１８への無線リンクの一つまたは複数のＴＰＣ  ＣＩは、確立された無線リンクの一つまたは複数のＴＰＣ  ＣＩである。再配置の完了時に、ＴＲＮＣがＴＲＮＣにより接続されたユーザーのために新しい無線リンクを確立すれば、本発明の実施例に従い、元のＳＲＮＣのＴＰＣ  ＣＩが知られることになる。このように、新しい無線リンクの確立においては、必ず競合がないように、ＴＲＮＣにより元のＳＲＮＣのＴＰＣ  ＣＩが考慮される。
【００３４】
本発明の技術は、図２のフローチャートに要約されている。ステップ２００では、無線リンクが、ノードＢ１４を介してＳＲＮＣ１０からＵＥ１８へ確立されている。ステップ２０２では、ノードＢ１４からノードＢ１６へＵＥ１８のネットワークアクセスポイントを転送するために、ＳＲＮＳ再配置が開始される。本発明に従うと、ステップ２０４では、各転送された無線リンクのために、ＴＰＣ  ＣＩとプライマリＣＰＩＣＨ情報のペアがＳＲＮＣ１０からＴＲＮＣ１２へと送信される。
【００３５】
ＳＲＮＣ再配置において、転送先の無線ネットワーク制御装置は、常に確立された無線リンクを持つ。しかしながら、その無線リンクが別の基地局によりサポートされていれば、ＴＰＣ  ＣＩは、ＳＲＮＣから転送された無線リンクのＴＰＣ  ＣＩとは異なるように決定される。
【００３６】
ステップ２０６において、ＴＲＮＣ１２からＵＥ１８への無線リンクが以前使用されていたものと同じ基地局を使用することが決定された場合、ステップ２１０に示すように、その基地局からのすべての無線リンクに使用しているものと同じＴＰＣ  ＣＩがそのリンクに使用される。ステップ２０６において、無線リンクが別の基地局から確立されていると決定されれば、ステップ２０８に示されているように、ＴＲＮＣは新しいＴＰＣ  ＣＩ、つまり、その他の基地局とは異なるＴＰＣ  ＣＩをその無線リンクに確立する必要がある。
【００３７】
上記説明は、典型的な実施例に関連し、使用されているプライマリＣＰＩＣＨ情報を参照していることに留意されたい。しかしながら、本発明および実施例は、このような使用に限定されない。例えば、派生的なＣＰＩＣＨ情報を代わりに使用することができる。
【００３８】
本発明は、特定の実施例を参照して、一例として説明した。しかしながら、本発明は、説明した実施例のどの明細にも限定されない。本発明の範囲は添付の請求項により定義される。
【図面の簡単な説明】
【００３９】
【図１】ＵＭＴＳシステムの無線ネットワークサブシステムの一部を示す。
【図２】本発明の好ましい実施例の方法のステップを示す。
【図１】
2007514385.tif 000003
【図２】
2007514385.tif 000004
【国際調査報告】
2007514385.tif 000005
2007514385.tif 000006
2007514385.tif 000007